(57)【要約】【課題】障害が発生した場合に履歴情報を取得して解析する際に、ユーザの意志を確認することなく履歴情報を自動的に送信する場合と比較して、個人情報保護の観点におけるセキュリティを向上させ、一般ユーザが履歴情報を送信可能とする場合と比較して、送信されてきた履歴情報を管理し易くする。【解決手段】制御部３１は、ユーザが履歴情報の送信機能を利用する権限を有する者であることを認証する。制御部３１は、履歴情報の送信機能を利用する権限を有する者であると認証された操作者の操作により、履歴情報を格納する機能を有効または無効のいずれかに切替える。ログ／ジョブ情報格納部３３は、制御部３１により履歴情報を格納する機能が有効に切り替えられた状態で、操作受付部３５により受け付けられた指示内容等のログ／ジョブ情報を履歴情報として格納する。送信部３６は、格納されたログ／ジョブ情報（履歴情報）を外部に送信する。【選択図】図３
2019054474.tif 000002
【特許請求の範囲】
【請求項１】
操作者が履歴情報の送信機能を利用する権限を有する者であることを認証する認証手段と、
前記認証手段により認証された操作者の操作により、履歴情報を格納する機能を有効または無効のいずれかに切替える切替手段と、
操作者による指示を受け付ける受付手段と、
前記切替手段により履歴情報を格納する機能が有効に切り替えられた状態で、前記受付手段により受け付けられた指示内容を履歴情報として格納する格納手段と、
前記格納手段により格納された履歴情報を外部に送信する送信手段と、
を備えた情報処理装置。
【請求項２】
前記切替手段は、履歴情報を格納する機能を有効な状態に切り替えた時刻から予め設定された時間が経過した場合、履歴情報を格納する機能を無効な状態に切り替える請求項１記載の情報処理装置。
【請求項３】
前記切替手段は、前記送信手段により履歴情報が外部に送信された場合、履歴情報を格納する機能を有効な状態から無効な状態に切り替える請求項１記載の情報処理装置。
【請求項４】
前記切替手段により履歴情報を格納する機能が無効な状態に切り替えられた場合、前記格納手段は、履歴情報の格納を停止するとともに格納されていた履歴情報を消去するする請求項１から３のいずれか記載の情報処理装置。
【請求項５】
前記切替手段により履歴情報を格納する機能が無効な状態に切り替えられた場合、前記格納手段は、履歴情報の格納を停止するが格納されていた履歴情報を消去せずに保持する請求項１から３のいずれか記載の情報処理装置。
【請求項６】
前記履歴情報が、処理を実行する際に用いられた処理対象データを含む請求項１から５のいずれか記載の情報処理装置。
【請求項７】
前記切替手段により履歴情報を格納する機能が無効な状態に切り替えられた場合、前記格納手段は、履歴情報の格納を停止するとともに格納されていた履歴情報のうち、処理対象データは削除して指示内容および実行結果の情報をそのまま保持する請求項６記載の情報処理装置。
【請求項８】
前記受付手段により格納された履歴情報の削除指示が受付けられた場合、前記格納手段は、履歴情報の格納を停止せずに格納されていた履歴情報を消去する請求項１から３のいずれか記載の情報処理装置。
【請求項９】
前記送信手段は、前記格納手段により格納された履歴情報を添付ファイルとした電子メールにより外部に送信する請求項１から８のいずれか記載の情報処理装置。
【請求項１０】
前記格納手段により格納された履歴情報を圧縮する圧縮手段をさらに備え、
前記送信手段は、前記圧縮手段により圧縮された履歴情報を添付ファイルとした電子メールにより外部に送信する請求項９記載の情報処理装置。
【請求項１１】
前記送信手段は、前記格納手段により格納された履歴情報を、ネットワークにより接続された外部の格納装置に格納することにより外部に送信する請求項１から８のいずれか記載の情報処理装置。
【請求項１２】
指示された内容で画像形成処理を実行する画像形成装置と、
操作者が履歴情報の送信機能を利用する権限を有する者であることを認証する認証手段と、前記認証手段により認証された操作者の操作により、履歴情報を格納する機能を有効または無効のいずれかに切替える切替手段と、操作者による指示を受け付ける受付手段と、前記受付手段により受け付けられた指示内容に基づいて前記画像形成装置に対して画像形成処理の実行を指示する指示手段と、前記切替手段により履歴情報を格納する機能が有効に切り替えられた状態で前記受付手段により受け付けられた指示内容を履歴情報として格納する格納手段と、前記格納手段により格納された履歴情報を外部に送信する送信手段とを備えた情報処理装置と、
有する情報処理システム。
【請求項１３】
操作者が履歴情報の送信機能を利用する権限を有する者であることを認証する認証ステップと、
前記認証ステップにおいて認証された操作者の操作により、履歴情報を格納する機能を有効または無効のいずれかに切替える切替ステップと、
前記切替ステップにおいて履歴情報を格納する機能が有効に切り替えられた状態で、操作者による指示を受け付けるステップと、
前記受付ステップにおいて受け付けられた操作者による指示内容に基づく処理を実行する実行ステップと、
前記受付ステップにおいて受け付けられた指示内容を履歴情報として格納する格納ステップと、
前記格納ステップにおいて格納された履歴情報を外部に送信する送信ステップと、
をコンピュータに実行させるためのプログラム。
【発明の詳細な説明】
【技術分野】
【０００１】
本発明は、情報処理システム、情報処理装置およびプログラムに関する。
【背景技術】
【０００２】
特許文献１には、ユーザの操作に基づくログ情報を収集する処理と、ログ情報を用いてユーザの嗜好度を示す嗜好モデルを生成する処理と、嗜好モデルを用いてサーバから配信された配信コンテンツの出力方法を制御する処理とをユーザ端末で実行するようにしたコンテンツ提供方法が開示されている。
【先行技術文献】
【特許文献】
【０００３】
【特許文献１】特開２０１６−１７３６２３号公報
【発明の概要】
【発明が解決しようとする課題】
【０００４】
タブレット端末やスマートフォン等の情報処理装置において、インストールしたアプリケーションプログラム（以下、アプリと略す。）を実行中に何等かの障害が発生した場合、アプリに対する指示内容の履歴情報を取得して障害の原因を解析するようなことが行われる。
【０００５】
しかし、ユーザの意志を確認することなくユーザが意図しない場合でもユーザを特定可能な個人情報とともに各種履歴情報を自動的に取得したのでは、個人情報の保護という観点から好ましくない。
【０００６】
ところが、一般ユーザがこのような履歴情報を自由に送信できるようにしたのでは、履歴情報を解析する側では本当に解析すべき履歴情報がどれなのかを特定できなくなり管理が困難となる。
【０００７】
本発明の目的は、障害が発生した場合に履歴情報を取得して解析する際に、ユーザの意志を確認することなく履歴情報を自動的に送信する場合と比較して、個人情報保護の観点におけるセキュリティを向上させ、一般ユーザが履歴情報を送信可能とする場合と比較して、送信されてきた履歴情報を管理し易くすることが可能な情報処理システム、情報処理装置およびプログラムを提供することである。
【課題を解決するための手段】
【０００８】
［情報処理装置］
請求項１に係る本発明は、操作者が履歴情報の送信機能を利用する権限を有する者であることを認証する認証手段と、
前記認証手段により認証された操作者の操作により、履歴情報を格納する機能を有効または無効のいずれかに切替える切替手段と、
操作者による指示を受け付ける受付手段と、
前記切替手段により履歴情報を格納する機能が有効に切り替えられた状態で、前記受付手段により受け付けられた指示内容を履歴情報として格納する格納手段と、
前記格納手段により格納された履歴情報を外部に送信する送信手段とを備えた情報処理装置である。
【０００９】
請求項２に係る本発明は、前記切替手段が、履歴情報を格納する機能を有効な状態に切り替えた時刻から予め設定された時間が経過した場合、履歴情報を格納する機能を無効な状態に切り替える請求項１記載の情報処理装置である。
【００１０】
請求項３に係る本発明は、前記切替手段が、前記送信手段により履歴情報が外部に送信された場合、履歴情報を格納する機能を有効な状態から無効な状態に切り替える請求項１記載の情報処理装置である。
【００１１】
請求項４に係る本発明は、前記切替手段により履歴情報を格納する機能が無効な状態に切り替えられた場合、前記格納手段は、履歴情報の格納を停止するとともに格納されていた履歴情報を消去するする請求項１から３のいずれか記載の情報処理装置である。
【００１２】
請求項５に係る本発明は、前記切替手段により履歴情報を格納する機能が無効な状態に切り替えられた場合、前記格納手段は、履歴情報の格納を停止するが格納されていた履歴情報を消去せずに保持する請求項１から３のいずれか記載の情報処理装置である。
【００１３】
請求項６に係る本発明は、前記履歴情報が、処理を実行する際に用いられた処理対象データを含む請求項１から５のいずれか記載の情報処理装置である。
【００１４】
請求項７に係る本発明は、前記切替手段により履歴情報を格納する機能が無効な状態に切り替えられた場合、前記格納手段は、履歴情報の格納を停止するとともに格納されていた履歴情報のうち、処理対象データは削除して指示内容および実行結果の情報をそのまま保持する請求項６記載の情報処理装置である。
【００１５】
請求項８に係る本発明は、前記受付手段により格納された履歴情報の削除指示が受付けられた場合、前記格納手段は、履歴情報の格納を停止せずに格納されていた履歴情報を消去する請求項１から３のいずれか記載の情報処理装置である。
【００１６】
請求項９に係る本発明は、前記送信手段が、前記格納手段により格納された履歴情報を添付ファイルとした電子メールにより外部に送信する請求項１から８のいずれか記載の情報処理装置である。
【００１７】
請求項１０に係る本発明は、前記格納手段により格納された履歴情報を圧縮する圧縮手段をさらに備え、
前記送信手段は、前記圧縮手段により圧縮された履歴情報を添付ファイルとした電子メールにより外部に送信する請求項９記載の情報処理装置である。
【００１８】
請求項１１に係る本発明は、前記送信手段が、前記格納手段により格納された履歴情報を、ネットワークにより接続された外部の格納装置に格納することにより外部に送信する請求項１から８のいずれか記載の情報処理装置である。
【００１９】
[情報処理システム]
請求項１２に係る本発明は、指示された内容で画像形成処理を実行する画像形成装置と、
操作者が履歴情報の送信機能を利用する権限を有する者であることを認証する認証手段と、前記認証手段により認証された操作者の操作により、履歴情報を格納する機能を有効または無効のいずれかに切替える切替手段と、操作者による指示を受け付ける受付手段と、前記受付手段により受け付けられた指示内容に基づいて前記画像形成装置に対して画像形成処理の実行を指示する指示手段と、前記切替手段により履歴情報を格納する機能が有効に切り替えられた状態で前記受付手段により受け付けられた指示内容を履歴情報として格納する格納手段と、前記格納手段により格納された履歴情報を外部に送信する送信手段とを備えた情報処理装置と、
有する情報処理システムである。
【００２０】
[プログラム]
請求項１３に係る本発明は、操作者が履歴情報の送信機能を利用する権限を有する者であることを認証する認証ステップと、
前記認証ステップにおいて認証された操作者の操作により、履歴情報を格納する機能を有効または無効のいずれかに切替える切替ステップと、
前記切替ステップにおいて履歴情報を格納する機能が有効に切り替えられた状態で、操作者による指示を受け付けるステップと、
前記受付ステップにおいて受け付けられた操作者による指示内容に基づく処理を実行する実行ステップと、
前記受付ステップにおいて受け付けられた指示内容を履歴情報として格納する格納ステップと、
前記格納ステップにおいて格納された履歴情報を外部に送信する送信ステップとをコンピュータに実行させるためのプログラムである。
【発明の効果】
【００２１】
請求項１に係る本発明によれば、障害が発生した場合に履歴情報を取得して解析する際に、ユーザの意志を確認することなく履歴情報を自動的に送信する場合と比較して、個人情報保護の観点におけるセキュリティを向上させ、一般ユーザが履歴情報を送信可能とする場合と比較して、送信されてきた履歴情報を管理し易くすることが可能な情報処理装置を提供することができる。
【００２２】
請求項２に係る本発明によれば、履歴情報を格納する機能が有効な状態のままとなってしまうことを防ぐことが可能な情報処理装置を提供することができる。
【００２３】
請求項３に係る本発明によれば、履歴情報を格納する機能が有効な状態のままとなってしまうことを防ぐことが可能な情報処理装置を提供することができる。
【００２４】
請求項４に係る本発明によれば、不要な履歴情報により記憶容量が消費されることを防ぐことが可能な情報処理装置を提供することができる。
【００２５】
請求項５に係る本発明によれば、格納された履歴情報の再送信を可能とする情報処理装置を提供することができる。
【００２６】
請求項６に係る本発明によれば、指示内容および実行結果のみを履歴情報として送信する場合と比較して、発生した不具合の発生理由の解析を容易にすることが可能な情報処理装置を提供することができる。
【００２７】
請求項７に係る本発明によれば、実行データを履歴情報として保持する場合と比較して、消費される記憶容量を少なくして履歴情報の再送信を可能とする情報処理装置を提供することができる。
【００２８】
請求項８に係る本発明によれば、履歴情報の格納を停止させずに、格納されていた履歴情報を削除することを可能とする情報処理装置を提供することができる。
【００２９】
請求項９に係る本発明によれば、外部装置を接続することなく、格納されていた履歴情報を外部から取り出すことが可能な情報処理装置を提供することができる。
【００３０】
請求項１０に係る本発明によれば、履歴情報を圧縮しないで送信する場合と比較して、送信する履歴情報のデータ容量を削減することが可能な情報処理装置を提供することができる。
【００３１】
請求項１１に係る本発明によれば、外部装置を接続することなく、格納されていた履歴情報を外部から取り出すことが可能な情報処理装置を提供することができる。
【００３２】
請求項１２に係る本発明によれば、障害が発生した場合に履歴情報を取得して解析する際に、ユーザの意志を確認することなく履歴情報を自動的に送信する場合と比較して、個人情報保護の観点におけるセキュリティを向上させ、一般ユーザが履歴情報を送信可能とする場合と比較して、送信されてきた履歴情報を管理し易くすることが可能な情報処理システムを提供することができる。
【００３３】
請求項１３に係る本発明によれば、障害が発生した場合に履歴情報を取得して解析する際に、ユーザの意志を確認することなく履歴情報を自動的に送信する場合と比較して、個人情報保護の観点におけるセキュリティを向上させ、一般ユーザが履歴情報を送信可能とする場合と比較して、送信されてきた履歴情報を管理し易くすることが可能なプログラムを提供することができる。
【図面の簡単な説明】
【００３４】
【図１】本発明の一実施形態の情報処理システムのシステム構成を示す図である。
【図２】本発明の一実施形態における端末装置１０のハードウェア構成を示すブロック図である。
【図３】本発明の一実施形態における端末装置１０の機能構成を示すブロック図である。
【図４】ログ／ジョブ情報送信処理の手順を示すフローチャートである。
【図５】ユーザによってパスワード情報を入力する場合の認証画面例を示す図である。
【図６】ログ／ジョブ格納機能の切り替え画面例を示す図である。
【図７】ログ／ジョブ格納機能が有効状態に変更された後の画面例を示す図である。
【図８】格納されたログ／ジョブ情報を送信する処理を実行する際の操作画面例を示す図である。
【図９】電子メールによりログ／ジョブ情報を送信するための画面例を示す図である。
【図１０】ログ／ジョブ情報送信後の処理を説明するためのフローチャートである。
【図１１】ログ／ジョブ格納機能が無効状態に切り替えられた場合の、ログ／ジョブ情報に対する処理例を説明するための図である。
【図１２】切替釦６１とは別に削除釦６２を設けた場合の画面例を示す図である。
【発明を実施するための形態】
【００３５】
次に、本発明の実施の形態について図面を参照して詳細に説明する。
【００３６】
図１は本発明の一実施形態の情報処理システムの構成を示す図である。
【００３７】
本発明の一実施形態の情報処理システムは、図１に示されるように、端末装置１０と、画像形成装置２０と、無線ＬＡＮターミナル３０と、サーバ装置５０とから構成されている。
【００３８】
端末装置１０には、画像形成装置２０に対して印刷ジョブ（印刷指示）等の各種ジョブを送信するためのプリントドライバのアプリがインストールされている。そして、端末装置１０においてこのアプリを起動することにより、画像形成装置２０に印刷処理等の各種処理を実行することができるようになっている。
【００３９】
また、端末装置１０は、無線ＬＡＮターミナル３０を介してインターネット４０に接続可能な構成となっており、インターネット４０経由にて各種のサーバ装置５０とのデータの送受信が可能となっている。
【００４０】
画像形成装置２０は、指示された内容で画像形成処理を実行する装置であり、例えば、端末装置１０から送信された印刷ジョブを受け付けて、受付けた印刷ジョブに基づいた画像を用紙上に出力する。なお、画像形成装置２０は、印刷（プリント）機能、スキャン機能、複写（コピー）機能、ファクシミリ機能等の複数の機能を有するいわゆる複合機と呼ばれる装置である。
【００４１】
本実施形態における端末装置１０では、アプリを起動して印刷ジョブを生成して印刷指示を行うことにより画像形成装置２０に対して印刷処理を実行させることができるようになっている。しかし、何等かの問題がある場合、行った印刷指示が正常に実行されずにエラーとなってしまう場合がある。このような状態において、一般ユーザでは障害が発生した理由を特定することができない場合、メーカーからＣＥ（Customer Engineer）等のサービスエンジニアを派遣してもらい障害の解消を依頼するような場合がある。
【００４２】
そして、依頼を受けたサービスエンジニアが一般ユーザのもとに出向いて障害が発生した原因を解析する際、その場で原因の特定ができない場合には、障害が発生した際の処理内容が分かる履歴情報を取得または指定した宛先に送信して、後日原因の解析を行うような場合もある。ここで、履歴情報には、一般ユーザにより行われた印刷設定等の指示内容や、実際に印刷処理を実行する際に用いられた処理対象データである印刷データ、印刷処理が正常に行われたか否か等の処理結果の情報や、処理が行われた日時情報、端末装置１０の機種名、搭載しているＯＳバージョン等の端末情報等の様々な情報を含めることができる。
【００４３】
このような履歴情報の送信機能を一般ユーザでも操作可能としてしまうと、履歴情報を受信した側ではどの履歴情報がどのユーザから送信されてきたのか、またどの履歴情報を解析すべきなのか管理が困難となってしまう。そのため、このような履歴情報の送信機能は、サービスエンジニア等の履歴情報の送信機能を利用する権限（管理者権限）を有する者のみが利用できるようになっている。
【００４４】
以下の説明では、本実施形態の端末装置１０を用いて画像形成装置２０に何等かのジョブを送信して正常な処理が行われなかった際に、一般ユーザのもとに出向いたサービスエンジニアが、障害が発生した端末装置１０から履歴情報を取得または特定の宛先に送信するような処理を行う場合について説明する。
【００４５】
次に、本実施形態の情報処理システムにおける端末装置１０のハードウェア構成を図２に示す。
【００４６】
端末装置１０は、図２に示されるように、ＣＰＵ１１、メモリ１２、ハードディスクドライブ（ＨＤＤ）等の記憶装置１３、外部の装置等との間でデータの送信及び受信を行う通信インタフェース（ＩＦ）１４、タッチパネル又は液晶ディスプレイ等のユーザインタフェース（ＵＩ）装置１５を有する。これらの構成要素は、制御バス１６を介して互いに接続されている。
【００４７】
ＣＰＵ１１は、メモリ１２または記憶装置１３に格納された制御プログラムに基づいて所定の処理を実行して、端末装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４８】
図３は、上記の制御プログラムが実行されることにより実現される端末装置１０の機能構成を示すブロック図である。
【００４９】
本実施形態の端末装置１０は、図３に示されるように、制御部３１と、表示部３２と、ログ／ジョブ情報格納部３３と、ジョブ実行部３４と、操作受付部３５と、送信部３６とを備えている。
【００５０】
表示部３３は、制御部３２により制御され、ユーザに各種情報を表示する。操作受付部３５は、ユーザ（操作者）により行われた各種操作情報を入力することにより、ユーザによる指示を受け付ける。
【００５１】
制御部３１は、ユーザが履歴情報の送信機能を利用する権限を有する者であることを認証する。そして、制御部３１は、履歴情報の送信機能を利用する権限を有する者であると認証された操作者の操作により、履歴情報を格納する機能を有効または無効のいずれかに切替える。
【００５２】
このように履歴情報を格納する機能を有効または無効に切り替えることができるようになっているのは、履歴情報を常に格納するようにしたのでは、記憶容量を圧迫するとともに、過去に行った印刷処理の内容等が端末装置１０内に常に残るようなっているのはセキュリティ上問題があるからである。
【００５３】
そのため、サービスエンジニアが障害解析のために履歴情報をする場合にのみ履歴情報を格納する機能を有効にして、実行した処理の内容を履歴情報として蓄積されるようにすることができるようになっている。
【００５４】
ログ／ジョブ情報格納部３３は、制御部３１により履歴情報を格納する機能が有効に切り替えられた状態で、操作受付部３５により受け付けられた指示内容等のログ／ジョブ情報を履歴情報として格納する。
【００５５】
ここで、ログ情報とは、印刷ジョブ等のジョブを実行した日時情報や、印刷設定等の指示内容や、その印刷ジョブを実行した印刷結果が正常に終了したのか異常が発生したのか等の処理結果情報等の各種情報が含まれる。
【００５６】
また、ジョブ情報とは、実際に印刷ジョブ等のジョブを実行する際に用いられた処理対象データであり、例えば印刷ジョブを実行した際の文書ファイル等の印刷データである。
【００５７】
なお、以下の説明では、このログ情報およびジョブ情報を合せて履歴情報と称する。
【００５８】
また、端末装置１０から画像形成装置２０に送信するジョブの種類としては、印刷処理を指示するための印刷ジョブだけでなく、スキャンジョブ、コピージョブ等の様々な種類のジョブが存在する。
【００５９】
ジョブ実行部３４は、操作受付部３５により受け付けられた指示内容に基づく処理を実行する。具体的には、ジョブ実行部３４は、制御部３１による制御に基づいて、実行するよう指示された印刷ジョブ等の各種ジョブを画像形成装置２０に実行するような処理を行う。つまり、ジョブ実行部３４は、操作受付部３５により受け付けられた指示内容に基づいて画像形成装置２０に対して画像形成処理の実行を指示する指示手段として機能する。
【００６０】
送信部３６は、ログ／ジョブ情報格納部３３により格納されたログ／ジョブ情報（履歴情報）を外部に送信する。例えば、送信部３６は、ログ／ジョブ情報格納部３３により格納されたログ／ジョブ情報を添付ファイルとした電子メールにより外部に送信する。
【００６１】
また、本実施形態では、制御部３１がログ／ジョブ情報格納部３３により格納されたログ／ジョブ情報を圧縮する機能を備えており、送信部３６は、制御部３１により圧縮されたログ／ジョブ情報を添付ファイルとした電子メールにより外部に送信する。
【００６２】
さらに、送信部３６は、ログ／ジョブ情報格納部３３により格納されたログ／ジョブ情報を、インターネット４０等のネットワークにより接続されたサーバ装置５０等の外部の格納装置に格納することにより外部に送信することも可能となっている。
【００６３】
なお、制御部３１は、ログ／ジョブ情報を格納する機能を有効な状態に切り替えた時刻から予め設定された時間、例えば２４時間が経過した場合、ログ／ジョブ情報を格納する機能を無効な状態に切り替えるようにしても良い。なお、ログ情報における時刻情報を利用して、最後にジョブが実行されてから予め設定された時間が経過した場合に、ログ／ジョブ情報を格納する機能を無効な状態に切り替えるようにしても良い。
【００６４】
また、制御部３１は、送信部３６によりログ／ジョブ情報が外部に送信された場合、送信が行われた直後にログ／ジョブ情報を格納する機能を有効な状態から無効な状態に切り替えるようにしても良い。
【００６５】
なお、上述したような方法により制御部３１によりログ／ジョブ情報を格納する機能が無効な状態に切り替えられた場合、ログ／ジョブ情報格納部３３は、ログ／ジョブ情報の格納を停止するとともに格納されていたログ／ジョブ情報を消去するする。
【００６６】
または、制御部３１によりログ／ジョブ情報を格納する機能が無効な状態に切り替えられた場合、ログ／ジョブ情報格納部３３は、ログ／ジョブ情報の格納を停止するが格納されていたログ／ジョブ情報を消去せずに保持するようにしても良い。
【００６７】
なお、制御部３１によりログ／ジョブ情報を格納する機能が無効な状態に切り替えられた場合、ログ／ジョブ情報格納部３３は、新たなログ／ジョブ情報の格納を停止するとともに格納されていたログ／ジョブ情報のうち、ジョブ情報は削除するがログ情報はそのままにして保持するようにしても良い。
【００６８】
さらに、操作受付部３５により格納されたログ／ジョブ情報の削除指示が受付けられた場合、ログ／ジョブ情報格納部３３は、ログ／ジョブ情報の格納を停止せずに格納されていたログ／ジョブ情報を消去するようにしても良い。つまり、削除指示が行われる前に格納されたログ／ジョブ情報は一旦削除されるが、その後取得されたログ／ジョブ情報については格納されるようにしても良い。
【００６９】
次に、本実施形態の端末装置１０におけるログ／ジョブ情報送信処理の詳細を図面を参照して説明する。
【００７０】
先ず、ログ／ジョブ情報送信処理の手順を図４のフローチャートに示す。
【００７１】
サービスエンジニアが端末装置１０からログ／ジョブ情報を取得しようとする場合、端末装置１０を操作してログ／ジョブ情報送信を行うためのモードに移行する。その際に、制御部３１は、図５に示すような認証画面を表示部３２上に表示して認証処理を行う（ステップＳ１０１）。
【００７２】
なお、図５に示した認証画面では、ユーザによるパスワード等のＰＩＮ（Personal Identification Number）コード情報を入力する場合が示されているが、認証方法はこのようなものに限定されない。
【００７３】
また、認証処理を行う替りに、一般ユーザには開示されていない特定の操作が行われることにより、ログ／ジョブ情報の送信機能を行うモードに遷移するようにしても良い。例えば、あるｔ秒間に予め設定されているロゴマークがｘ回タップされるような操作や、ロゴマークとバージョン情報の表示を同時にタップするような操作や、特定の複数の表示箇所を同時に長押しする操作等の特定の通常使用状態では行われる可能性が低い操作が行われた場合にログ／ジョブ情報の送信を行うモードに遷移するようなことが考えられる。
【００７４】
そして、ステップＳ１０１における認証処理が正常に行われた場合、制御部３１は表示部３２に図６に示すようなログ／ジョブ格納機能の切り替え画面を表示する。図６に示す画面例では、ログ／ジョブ格納機能を有効または無効に切り替えるための切替釦６１が表示されており、ユーザは、この切替釦６１を動かすことにより有効／無効の切替えを行うことができるようになっている。
【００７５】
なお、通常の使用状態ではログ／ジョブ格納（保存）機能は無効状態となっているため、これからログ／ジョブ情報を取得しようとするサービスエンジニアは切替釦６１を動かして、無効状態であったログ／ジョブ格納機能を有効状態に変更する（ステップＳ１０２）。このようにして、ログ／ジョブ格納機能が有効状態に変更された後の画面例を図７に示す。
【００７６】
そして、このような操作によりログ／ジョブ格納機能が有効になった状態で、サービスエンジニアは、通常の操作画面に戻り、ログ／ジョブ情報を取得したい処理を実行する（ステップＳ１０３）。
【００７７】
例えば、ある文書ファイルを画像形成装置２０に印刷させる印刷ジョブを実行する際にエラーが発生した場合、エラーが発生したのと同条件の印刷ジョブを画像形成装置２０に実行させるような処理を行う。
【００７８】
すると、ログ／ジョブ格納機能が有効な状態で実行された印刷ジョブのログ／ジョブ情報はログ／ジョブ情報格納部３３に格納されることになる（ステップＳ１０４）。
【００７９】
その後、サービスエンジニアは、図５に示すような認証画面において再度認証処理を実行してログ／ジョブ情報の送信を行うモードに遷移する（ステップＳ１０５）。
【００８０】
そして、図８の画面例で示すような操作を行って、格納されたログ／ジョブ情報を送信する処理を実行する（ステップＳ１０６）。図８では、「送信」釦をタップすることにより、「メールで送信」、「その他のアプリで送信」という選択肢が表示され、ユーザが「メールで送信」を選択した場合が示されている。
【００８１】
そして、ユーザが「メールで送信」を選択したことにより、図９の画面例で示すようにメールソフトが起動される。図９では、電子メールを送信するための画面例が示されており、ログ／ジョブ情報を送信したいアドレス情報を宛先情報として入力することにより、取得されたログ／ジョブ情報を指定した宛先に電子メールにより送信することが可能となる。例えば、サービスエンジニアが自分のノートパソコンにログ／ジョブ情報を転送したい場合には、自分のアドレス情報を宛先情報として入力すれば良いし、会社の解析担当のエンジニアに送信したい場合には、そのエンジニアのアドレス情報を入力すれば良い。
【００８２】
なお、図９では、ログ／ジョブ情報が圧縮されてＺＩＰファイルに変換され、このＺＩＰファイルが電子メールに添付されて送信されるような画面例が示されている。
【００８３】
そして、図９に示したような画面において「送信」釦が操作されることにより、ログ／ジョブ情報がＺＩＰファイルとして添付された電子メールが指定された宛先に送信される。
【００８４】
なお、図８に示した画面において「その他のアプリで送信」が選択された場合には、クラウドストレージ機能を提供している各種アプリを選択することができるような画面が表示され、選択したアプリを利用してログ／ジョブ情報を指定した格納場所に格納することにより装置外部への送信が行われる。
【００８５】
次に、このようなログ／ジョブ情報の外部装置への送信が行われた後の処理について説明する。図１０は、ログ／ジョブ情報送信後の処理を説明するためのフローチャートである。
【００８６】
上記で説明したようにログ／ジョブ情報には、どのような内容の印刷処理を行ったのかを示す情報が含まれる。そのため、障害解析のためにログ／ジョブ情報の取得が行われた後にいつまでもログ／ジョブ情報が端末装置１０内の残っているのは望ましいことではない。また、ログ／ジョブ格納機能はいつまでも有効状態となってしまったのでは、各種ジョブが実行される度にログ／ジョブ情報が格納され続けることによりセキュリティ上も、メモリ容量の圧迫という観点からも好ましくない。
【００８７】
そのため、本実施形態の端末装置１０では、ログ／ジョブ格納機能の自動無効機能が設けられている。このログ／ジョブ格納機能の自動無効機能が設定されている場合には、ログ／ジョブ情報の外部装置への送信が行われると、その後ログ／ジョブ格納機能は自動的に無効状態に切り替えられ、格納されていたログ／ジョブ情報は自動的に削除される。
【００８８】
つまり、図１０に示すように、ログ／ジョブ情報の送信が行われて、ログ／ジョブ格納機能の自動無効が設定されている場合（ステップＳ２０１においてｙｅｓ）、制御部３１は、ログ／ジョブ格納機能を無効状態に切替え（ステップＳ２０２）、格納されていたログ／ジョブ情報をログ／ジョブ情報格納部３３から削除する処理を実行する（ステップＳ２０３）。
【００８９】
なお、ログ／ジョブ格納機能の自動無効が設定されていない場合（ステップＳ２０１においてｎｏ）、切替釦６１のユーザ操作によりログ／ジョブ格納機能が無効状態に切り替えられれば（ステップＳ２０４においてｙｅｓ）、制御部３１は、ログ／ジョブ格納機能を無効状態に切替え（ステップＳ２０２）、格納されていたログ／ジョブ情報をログ／ジョブ情報格納部３３から削除する処理を実行する（ステップＳ２０３）。
【００９０】
しかし、ユーザがログ／ジョブ格納機能を無効状態に切り替えない場合でも（ステップＳ２０４においてｎｏ）、予め設定された一定時間が経過した場合（ステップＳ２０５においてｙｅｓ）、制御部３１は、ログ／ジョブ格納機能を無効状態に切替え（ステップＳ２０２）、格納されていたログ／ジョブ情報をログ／ジョブ情報格納部３３から削除する処理を実行する（ステップＳ２０３）。
【００９１】
次に、ログ／ジョブ格納機能が無効状態に切り替えられた場合の、ログ／ジョブ情報に対する処理例を図１１を参照して説明する。
【００９２】
図１０に示したフローチャートでは、ログ／ジョブ格納機能が無効状態に切り替えられた場合、図１１の処理パターン１のように、それ以降のログ／ジョブ情報の格納は停止し、格納されたログ／ジョブ情報はログ情報、ジョブ情報ともに削除するものとして説明した。
【００９３】
この処理パターン１以外の処理例として、ログ／ジョブ格納機能が無効状態に切り替えられた場合、図１１の処理パターン２のように、それ以降のログ／ジョブ情報の格納は停止し、格納されたログ／ジョブ情報はログ情報、ジョブ情報ともに削除せずにそのまま残すようにしても良い。このようにログ／ジョブ情報を残すようにすることにより、ログ／ジョブ情報を再度別の宛先に送信する場合や、指定した宛先にログ／ジョブ情報が正常に送信されていなかった場合に再送信が可能となる。
【００９４】
また、処理パターン１、２以外の処理例として、ログ／ジョブ格納機能が無効状態に切り替えられた場合、図１１の処理パターン３のように、それ以降のログ／ジョブ情報の格納は停止し、格納されたログ／ジョブ情報はログ情報については削除せずに保持し、ジョブ情報は削除するようにしても良い。ジョブ情報は、印刷処理を実行する際に使用した文書ファイルデータ等であるため、データ容量も大きく、また印刷内容そのものであるためセキュリティ上もいつまでも残されたのでは問題がある。これに対して、ログ情報は、例えば、何月何日何時何分に、両面印刷、Ａ５サイズ、カラーモード、５０枚等の印刷内容で、○○という書類を印刷したというような内容であるため、データ容量も少なく、漏洩した場合のセキュリティ上も問題も少ない。そのため、ジョブ情報は削除してログ情報を残すようにすれば、メモリ容量的にもセキュリティ上も大きな問題を発生する可能性は低い。
【００９５】
なお、再現性が悪い処理を解析するためには、問題が発生するまで何度も同じ内容の処理の実行を繰り返すような場合がある。このような場合には、ログ／ジョブ格納機能は有効状態のまま維持したいが、それまでに蓄積（格納）されたログ／ジョブ情報については一旦消去したいような場合がある。
【００９６】
このような処理を可能とするためには、例えば図１２に示すように、切替釦６１とは別に削除釦６２を設けて、その削除釦６２が操作された場合に、ログ／ジョブ情報格納部３３に格納されていたログ／ジョブ情報を全て削除するようにしても良い。
【００９７】
つまり、ジョブを実行して問題が再現されなければ削除釦６２を操作して格納されたログ／ジョブ情報を削除し、問題が再現された場合には格納されたログ／ジョブ情報を送信するようにすれば、問題が発生した際のログ／ジョブ情報のみを取得して送信することができる。
【００９８】
また、このような削除釦６２を設けることなく、同じ内容のジョブが実行された場合には、前の古いログ／ジョブ情報は上書きされて消去され常に最新のログ／ジョブ情報のみが残るようにしても良い。
【００９９】
なお、上記のように最新のログ／ジョブ情報のみが格納される場合や、一旦格納されたログ／ジョブ情報が予め設定された時間経過により自動的に消去される場合も含めて、ログ／ジョブ情報格納部３３によるログ／ジョブ情報の格納処理である。
【０１００】
[変形例]
上記実施形態では、端末装置１０からログ／ジョブ情報を外部装置に送信する場合を用いて説明したが、本発明はこれに限定されるものではなく、タブレット端末装置、スマートフォン、パーソナルコンピュータ等の各種情報処理装置からログ／ジョブ情報を外部装置に送信する場合でも発明を同様に適用することができるものである。
【符号の説明】
【０１０１】
１０    端末装置
１１    ＣＰＵ
１２    メモリ
１３    記憶装置
１４    通信インタフェース（ＩＦ）
１５    ユーザインタフェース（ＵＩ）装置
１６    制御バス
２０    画像形成装置
３０    無線ＬＡＮターミナル
３１    制御部
３２    表示部
３３    ログ／ジョブ情報格納部
３４    ジョブ実行部
３５    操作受付部
３６    送信部
４０    インターネット
５０    サーバ装置
６１    切替釦
６２    削除釦
【図１】
2019054474.tif 000003
【図２】
2019054474.tif 000004
【図３】
2019054474.tif 000005
【図４】
2019054474.tif 000006
【図５】
2019054474.tif 000007
【図６】
2019054474.tif 000008
【図７】
2019054474.tif 000009
【図８】
2019054474.tif 000010
【図９】
2019054474.tif 000011
【図１０】
2019054474.tif 000012
【図１１】
2019054474.tif 000013
【図１２】
2019054474.tif 000014